(57)【要約】【課題】  ユーザによる煩雑な操作を必要とせず、かつ、低コストな健康データ収集提供方法およびそのシステムを提供する。【解決手段】  ユーザの健康データを数値化し、無線送信する健康モニタ機器１０１および２０１〜２０４と、ウェイクアップ信号を送信するウェイクアップ装置１０４と、前記健康モニタ機器の送信した健康データを受信して蓄え、ウェイクアップ信号を受信すると蓄えた健康データを無線発信する携帯型メモリ装置２００と、前記携帯型メモリ装置２００が送信した健康データを受信し、通信網１０５を介して送信する無線基地局１０３と、前記無線基地局１０３から送信された健康データを受信し、内部に記憶および加工し、通信網１０５および１０７を介して送信するサーバ１０６と、前記サーバ１０６が送信したデータを受信し、ユーザに表示するユーザ通信端末１０８とからなる健康データ収集提供システム。【選択図】    図３
2006262993.tif 000002
【特許請求の範囲】
【請求項１】
ユーザの健康データを数値化し、無線送信する健康モニタ機器と、
ウェイクアップ信号を送信するウェイクアップ装置と、
前記健康モニタ機器の送信した健康データを受信し、内部メモリに蓄え、前記ウェイクアップ信号を受信すると蓄えた健康データを無線発信する携帯型メモリ装置と、
前記携帯型メモリ装置が無線発信した健康データを受信し、通信網を介して送信する無線基地局と、
前記無線基地局から送信された健康データを受信して内部に記憶し、記憶した健康データまたはこれらを加工したデータを、通信網を介して送信するサーバと、
前記サーバが送信した健康データまたはこれらを加工したデータを受信し、ユーザに表示するユーザ通信端末と
からなる健康データ収集提供システム。
【請求項２】
前記携帯型メモリ装置は、健康モニタ機器を内蔵することを特徴とする請求項１に記載の健康データ収集提供システム。
【請求項３】
前記ウェイクアップ装置を備えていることに代えて、前記携帯型メモリ装置が常時あるいは間欠的に健康データを無線発信することを特徴とする請求項１または請求項２に記載の健康データ収集提供システム。
【請求項４】
前記サーバが送信した健康データまたはこれらを加工したデータを受信して第三者に表示し、第三者が作成した健康指導またはアドバイスを前記ユーザ通信端末またはユーザが所有する他の通信端末へ送信する第三者通信端末を具備していることを特徴とする請求項１〜請求項３のいずれかの項に記載の健康データ収集提供システム。
【請求項５】
健康モニタ機器と、前記健康モニタ機器と無線通信する携帯型メモリ装置と、前記携帯型メモリ装置に無線送信するウェイクアップ装置と、前記携帯型メモリ装置と無線通信する無線基地局と、前記無線基地局が接続された通信網と、前記通信網に接続されたサーバと、前記通信網に接続されたユーザ通信端末とから構成される健康データ収集提供システムにおいて、
前記健康モニタ機器は、ユーザの健康データを数値化して近距離無線通信にて送信し、
前記携帯型メモリ装置は、前記健康モニタ機器が送信した健康データを受信し、内部メモリに蓄積し、
前記ウェイクアップ装置はウェイクアップ信号を送信し、
前記携帯型メモリ装置はウェイクアップ信号を受信すると、内部メモリに蓄積されている健康データを、前記無線基地局に送信し、
前記無線基地局は、前記携帯メモリ装置が送信した健康データを受信し、前記通信網を介してサーバに送信し、
前記サーバは、前記無線基地局が送信した健康データを受信し、記録するとともに加工し、記録した健康データまたはこれらを加工したデータを、前記通信網を介して前記ユーザ通信端末に送信し、
前記ユーザ通信端末は、前記サーバの送信した健康データまたはこれらを加工したデータを受信し、表示する
ことを特徴とする健康データ収集提供方法。
【請求項６】
健康モニタ機器と、前記健康モニタ機器と無線通信する携帯型メモリ装置と、前記携帯型メモリ装置と無線通信する無線基地局と、前記無線基地局が接続された通信網と、前記通信網に接続されたサーバと、前記通信網に接続されたユーザ通信端末とから構成される健康データ収集提供システムにおいて、
前記健康モニタ機器は、ユーザの健康データを数値化して近距離無線通信にて送信し、
前記携帯型メモリ装置は、前記健康モニタ機器が送信した健康データを受信し、内部メモリに蓄積し、内部メモリに蓄積された健康データを常時あるいは間欠的に送信し、
前記無線基地局は、前記携帯メモリ装置の送信した健康データを受信し、前記通信網を介して前記サーバに送信し、
前記サーバは、前記無線基地局が送信した健康データを受信し、記録するとともに加工し、記録した健康データまたはこれらを加工したデータを、前記通信網を介して前記ユーザ通信端末に送信し、
前記ユーザ通信端末は、前記サーバの送信した健康データまたはこれらを加工したデータを受信し、表示する
ことを特徴とする健康データ収集提供方法。
【発明の詳細な説明】
【技術分野】
【０００１】
本発明は、健康モニタ機器で数値化されたデータを、ユーザが機器操作をすることなくサーバに収集し、通信網を介してユーザにフィードバックする健康データ収集提供方法およびそのシステムに関する。
【背景技術】
【０００２】
現在、市場で提供されている歩数計等の健康モニタ機器の中には、パソコンのＵＳＢインターフェースなどを介して一旦パソコン中にデータを蓄積し、パソコンから通信網中に設置されたサーバに転送を行う機能を有するものがある。これによって、サーバはユーザの健康情報を収集することが可能である。サーバに蓄えられたデータまたはこれらを加工したデータ、あるいはこれらのデータに基づいて作成した健康指導またはアドバイスを、電子メールやＷｅｂページを使ってユーザに提供することができる（非特許文献１「ヘルスプラネット」参照）。
【非特許文献１】“ヘルスプラネット”、［online］、株式会社タニタ、［平成１７年２月１７日検索］、インターネット  <URL: http://www.tanita.co.jp/products/planet/index2.html>
【発明の開示】
【発明が解決しようとする課題】
【０００３】
しかしながら、上記の健康データ収集提供方法では次の問題が生じる。まず、パソコン経由でサーバに収集するためにはパソコンが必須であってユーザの金銭負担が大きい。また、パソコンの起動にかかる時間と手間が、このようなデータの収集を日常的に継続して行うことに対して妨げとなる。特に、パソコン操作に不慣れなユーザにとっては、このようなデータの収集を日常的に継続して行うことに対しては大きな妨げとなる。従来技術のこのような問題に鑑み、本発明の目的は、パソコン操作が不要で、かつ低コストな健康データ収集提供方法およびそのシステムを提供することにある。
【課題を解決するための手段】
【０００４】
この発明は上述した課題を解決するためになされたもので、請求項１に記載の発明は、ユーザの健康データを数値化し、無線送信する健康モニタ機器と、ウェイクアップ信号を送信するウェイクアップ装置と、前記健康モニタ機器の送信した健康データを受信し、内部メモリに蓄え、前記ウェイクアップ信号を受信すると蓄えた健康データを無線発信する携帯型メモリ装置と、前記携帯型メモリ装置が無線発信した健康データを受信し、通信網を介して送信する無線基地局と、前記無線基地局から送信された健康データを受信して内部に記憶し、記憶した健康データまたはこれらを加工したデータを、通信網を介して送信するサーバと、前記サーバが送信した健康データまたはこれらを加工したデータを受信し、ユーザに表示するユーザ通信端末とからなる健康データ収集提供システムである。
【０００５】
請求項２に記載の発明は、携帯型メモリ装置は、前記健康モニタ機器を内蔵することを特徴とする請求項１に記載の健康データ収集提供システムある。
請求項３に記載の発明は、前記ウェイクアップ装置を備えていることに代えて、前記携帯型メモリ装置が常時あるいは間欠的に健康データを無線発信することを特徴とする請求項１または請求項２に記載の健康データ収集提供システムである。
請求項４に記載の発明は、前記サーバが送信した健康データまたはこれらを加工したデータを受信して第三者に表示し、第三者が作成した健康指導またはアドバイスを前記ユーザ通信端末またはユーザが所有する他の通信端末へ送信する第三者通信端末を具備していることを特徴とする請求項１〜請求項３のいずれかの項に記載の健康データ収集提供システムである。
【０００６】
請求項５に記載の発明は、健康モニタ機器と、前記健康モニタ機器と無線通信する携帯型メモリ装置と、前記携帯型メモリ装置に無線送信するウェイクアップ装置と、前記携帯型メモリ装置と無線通信する無線基地局と、前記無線基地局が接続された通信網と、前記通信網に接続されたサーバと、前記通信網に接続されたユーザ通信端末とから構成される健康データ収集提供システムにおいて、前記健康モニタ機器は、ユーザの健康データを数値化して近距離無線通信にて送信し、前記携帯型メモリ装置は、前記健康モニタ機器が送信した健康データを受信し、内部メモリに蓄積し、前記ウェイクアップ装置はウェイクアップ信号を送信し、前記携帯型メモリ装置はウェイクアップ信号を受信すると、内部メモリに蓄積されている健康データを、前記無線基地局に送信し、前記無線基地局は、前記携帯メモリ装置が送信した健康データを受信し、前記通信網を介してサーバに送信し、前記サーバは、前記携帯メモリ装置が送信した健康データを受信し、記録するとともに加工し、記録した健康データまたはこれらを加工したデータを、前記通信網を介して前記ユーザ通信端末に送信し、前記ユーザ通信端末は、前記サーバの送信した健康データまたはこれらを加工したデータを受信し、表示することを特徴とする健康データ収集提供方法である。
【０００７】
請求項６に記載の発明は、健康モニタ機器と、前記健康モニタ機器と無線通信する携帯型メモリ装置と、前記携帯型メモリ装置と無線通信する無線基地局と、前記無線基地局が接続された通信網と、前記通信網に接続されたサーバと、前記通信網に接続されたユーザ通信端末とから構成される健康データ収集提供システムにおいて、前記健康モニタ機器は、ユーザの健康データを数値化して近距離無線通信にて送信し、前記携帯型メモリ装置は、前記健康モニタ機器が送信した健康データを受信し、内部メモリに蓄積し、内部メモリに蓄積された健康データを常時あるいは間欠的に送信し、前記無線基地局は、前記携帯メモリ装置の送信した健康データを受信し、前記通信網を介して前記サーバに送信し、前記サーバは、前記無線基地局が送信した健康データを受信し、記録するとともに加工し、記録した健康データまたはこれらを加工したデータを、前記通信網を介して前記ユーザ通信端末に送信し、前記ユーザ通信端末は、前記サーバの送信した健康データまたはこれらを加工したデータを受信し、表示することを特徴とする健康データ収集提供方法である。
【発明の効果】
【０００８】
この発明によれば、健康データを携帯型メモリ装置に一旦蓄積し、携帯型メモリ装置を携行したユーザが無線基地局のカバーエリア内に入ると無線発信を自動的に行うため、ユーザにパソコンのような高価な機器を要求せず、また、ユーザに煩雑な操作を要求しないという効果がある。
【発明を実施するための最良の形態】
【０００９】
以下、図面を参照し、この発明の第１の実施形態について説明する。図１にこの発明の第１の実施形態による健康データ収集提供システムの構成を示す。この健康データ収集提供システムは、体重計１０１と、体重計１０１と近距離無線で接続される歩数計一体型メモリ装置１０２と、歩数計一体型メモリ装置１０２が無線発信した健康データを転送する無線基地局１０３と、歩数計一体型メモリ装置１０２の無線発信を起動するウェイクアップ装置１０４と、無線基地局１０３と通信網１０５を介して接続されるサーバ１０６と、サーバ１０６と通信網１０５および無線データ通信網１０７を介して接続される携帯電話１０８とからなる。なお、１１０はユーザの家屋を示している。
【００１０】
次に、上述した健康データ収集提供システムの動作を図１、図２を参照して説明する。まず、ユーザは、歩数計一体型メモリ装置１０２を携帯もしくは近辺においた状態で、体重計１０１を用いて、体重の測定をする。体重計１０１は、測定した際に体重データを近距離無線により発信する。歩数計一体型メモリ装置１０２はこの体重データを受信し、装置内のメモリに一旦蓄積する。また、歩数計一体型メモリ装置１０２は歩数計機能により計測した歩数データについても装置内のメモリに蓄積する。次に、歩数計一体型メモリ装置１０２を携帯した状態で、ユーザが無線基地局１０３のカバーエリア内に来ると、ウェイクアップ装置１０４が発信するウェイクアップ信号を歩数計一体型メモリ装置１０２が受信する。ウェイクアップ信号を受信した歩数計一体型メモリ装置１０２は、メモリに蓄積されている体重データおよび歩数データを無線基地局１０３へ発信する。無線基地局１０３は、受信した体重データおよび歩数データを、通信網１０５を介して、サーバ１０６に転送する。サーバ１０６は、受信した体重データおよび歩数データと、それらを加工したデータを蓄積するとともに、通信網１０５および、無線データ通信網１０７を介して、携帯電話１０８に送信する。携帯電話１０８は、ｉアプリ（登録商標）等の仕組みを利用しサーバ１０６から所望のデータを自動受信し、表示する。図２にデータの表示例を示す。
【００１１】
本実施形態により次の効果が得られる。
・体重計１０１は到達距離が限定された近距離通信により歩数計一体型メモリ装置１０２に体重データを送信するので、歩数計一体型メモリ装置１０２のユーザが、歩数計一体型メモリ装置１０２を体重計１０１の近辺(体重計１０１の近距離無線の到達範囲内)においておきさえすれば、体重を測定したときに、間違いなくこのユーザの体重データが歩数計一体型メモリ装置１０２に受信され、メモリに蓄積される。このような条件が満たされている限り他人の体重データがメモリに蓄積されることはない。即ち、置くだけ、という簡単な操作で自身の体重データがメモリに格納される。
・歩数計一体型メモリ装置１０２のユーザが歩数計測定のために歩数計一体型メモリ装置１０２を常時携帯しているという条件下で、無線基地局１０３のカバーエリアをユーザが通りかかれば、ウェイクアップ装置１０４によって自動的に歩数計一体型メモリ装置１０２の発信機能が起動され、メモリに蓄積されているデータを発信する。無線基地局１０３はこれを受信し、サーバ１０６ヘ転送する。このような仕組みを有しているので、ユーザが日常的に無線基地局１０３のカバーエリア内に立ち入るという環境が成立している場合には、特に意識して特別な操作を行うことなく、サーバ１０６に体重データ、歩数データが蓄積される。即ち、携帯するだけで、自身の体重データ、歩数計データがサーバ１０６に格納される。無線基地局１０３を複数設置し、広域なエリアをカバーしている場合には、広域エリア内でデータの収集が可能となる。
・携帯電話１０８はiアプリ（登録商標）により、自動的に適宜、サーバ１０６からユーザのデータを受信し待ち受け画面に表示させておく。このようにiアプリ（登録商標）を構成しているので、特に意識して特別な操作を行うことなく、ユーザの体重データ、歩数データが携帯電話１０８のディスプレイに表示される。
・本実施形態の構成要素のうち、体重計１０１、歩数計一体型メモリ装置１０２、および携帯電話１０８以外の要素は、多数のユーザにより共用することができるため、ユーザの金銭的負担も少ない。
なお、ディスプレイとして、ＰＤＡ（パーソナルディジタルアシスタント）やパソコンなど、他のネットワーク接続機器を利用することができる点はいうまでもない。
【００１２】
次に、この発明の第２の実施形態について説明する。図３にこの発明の第２の実施形態による健康データ収集提供システムの構成を示す。２００は携帯型メモリ装置、２０１は血圧計、２０２は血糖値計、２０３は心電計、２０４は歩数計である。第１の実施形態とは、歩数計一体型メモリ装置の代わりに、歩数計の機能を省いた携帯型メモリ装置２００を用いている点と、体重計１０１に加えて血圧計２０１、血糖値計２０２などの健康モニタ機器を備えている点が異なる。
本実施形態により次の効果が得られる。
・血圧、血糖値、心電図の情報を、特別な操作を行うことなく、日常的にチェックできる。様々なデータを測定する多様な健康モニタ機器が可能であることはいうまでもない。
・携帯型メモリ装置２００は、歩数計と一体型ではないため小型軽量化することができるため、携帯が容易になる。歩数の測定を必要としない人にとって、ムダな歩数計を常時携帯する必要がなくなる。
【００１３】
次に、この発明の第３の実施形態について説明する。図４にこの発明の第３の実施形態による健康データ収集提供システムの構成を示す。第１の実施形態とは、ウェイクアップ装置１０４が存在しない点と、歩数計一体型メモリ装置２１０の動作が異なる。本実施形態では、歩数計一体型メモリ装置２１０は、常時または間欠的に無線によりメモリ内のデータを発信する。
本実施形態により第１の実施形態に加えて、次の効果が得られる。
・ウェイクアップ装置１０４が不要となる。
【００１４】
次に、この発明の第４の実施形態について説明する。図５は本発明の第４の実施形態における健康データ収集提供システムの構成を示す。３０１は医療保険会社、３０２は医療保険会社拠点、３０３は医療保険顧客の自宅、３０４はサービスプロバイダである。また、４０１は医療保険会社に置かれたＰＣなどの通信端末である。本実施形態は、第１の実施形態とは通信端末４０１が加わったことと、サーバ２２０、携帯電話４０２の動作が異なる。サーバ２２０は、サーバ１０６の機能に加えて、医療保険会社３０１に設置されている通信端末４０１に対してもデータを送信する機能を有している。通信端末４０１は、サーバ２２０の送信したデータを表示する機能と、医療保険会社が作成した健康指導およびアドバイスを、携帯電話４０２に送信する機能を有している。携帯電話４０２は、携帯電話１０８の機能に加えて、通信端末４０１が送信した健康指導およびアドバイスを受信し、表示する機能を有している。
図６は本発明により構成されるビジネスモデルである。
医療保険会社３０１は、サービスプロバイダ３０４から体重計１０１、歩数計一体型メモリ装置１０２、無線基地局１０３、ウェイクアップ装置１０４を購入する。医療保険会社３０１は、医療保険顧客に対して、体重計１０１、および歩数計一体型メモリ装置１０２を貸与する。
サービスプロバイダ３０４は、サーバ２２０を運営し、医療保険顧客の健康データをサーバ２２０に収集する。サービスプロバイダ３０４は、医療保険顧客に対して健康データを提供するとともに、医療保険会社３０１に対しても健康データを提供する。医療保険会社３０１は、保険顧客の健康データの対価として、サービスプロバイダ３０４にサービス料金を支払う。
医療保険会社３０１は、無線基地局１０３およびウェイクアップ装置１０４を、医療保険会社拠点３０２に設置する。なお、無線基地局１０３およびウェイクアップ装置１０４を設置する主体は、医療保険会社３０１の場合もあれば、サービスプロバイダ３０４の場合など、基地局の設置場所の条件に応じて様々なケースが想定される。また、本実施形態では、基地局の設置場所を医療保険会社拠点３０２としたが、それ以外にもサービスプロバイダ拠点や医療保険顧客の自宅など、様々なケースが想定される。
【００１５】
本実施形態により、第１の実施形態の効果に加えて次の効果が得られる。
・医療保険会社３０１は医療保険顧客の健康状態の情報が得られる。これによって、保険顧客に対して適切な健康アドバイスができ、医療費の支払いを抑制することができる。また、健康優良顧客と不健康顧客とを客観的に判別できるため、優良顧客への保険料割引サービスなど、魅力的な保険サービスを展開できる。
・医療保険顧客は、本発明により自らの健康データを医療保険会社３０１に提供することの対価として、健康アドバイス、優良顧客の場合には医療保険料割引サービスなどのメリットを享受できる。
なお、本実施形態において、サービスプロバイダ３０４と医療保険会社３０１とが同一法人であるケースもあり得る。また、図５の３０１が医療保険会社以外であって、顧客の健康データを活用して付加価値を顧客に対して提供するビジネスモデルが容易に想定できることは論を待たない。
【図面の簡単な説明】
【００１６】
【図１】本発明の第１の実施形態による健康データ収集提供システムの構成図である。
【図２】第１の実施形態における携帯電話１０８でのデータ表示例である。
【図３】本発明の第２の実施形態による健康データ収集提供システムの構成図である。
【図４】本発明の第３の実施形態による健康データ収集提供システムの構成図である。
【図５】本発明の第４の実施形態による健康データ収集提供システムの構成図である。
【図６】第４の実施形態により構成されるビジネスモデルを示す図である。
【符号の説明】
【００１７】
１０１…体重計
１０２…歩数計一体型メモリ装置
１０３…無線基地局
１０４…ウェイクアップ装置
１０５…通信網
１０６…サーバ
１０７…無線データ通信網
１０８…携帯電話
１１０…ユーザの家屋
２００…携帯型メモリ装置
２０１…血圧計
２０２…血糖値計
２０３…心電計
２０４…歩数計
２１０…歩数一体型メモリ装置
２２０…サーバ
３０１…医療保険会社
３０２…医療保険会社拠点
３０３…医療保険顧客の自宅
３０４…サービスプロバイダ
４０１…通信端末
４０２…携帯電話
【図１】
2006262993.tif 000003
【図２】
2006262993.tif 000004
【図３】
2006262993.tif 000005
【図４】
2006262993.tif 000006
【図５】
2006262993.tif 000007
【図６】
2006262993.tif 000008